(57)【特許請求の範囲】
【請求項１】
電源である電池と、原水供給管と再生液を満たした再生用タンクに流路切替弁を介して接続された複数のイオン交換樹脂カートリッジと、前記原水供給管に設けられた通水センサと、前記通水センサからの信号が給水信号であるとき前記電池から動作モードで動作する回路へ回路電流を供給し、止水信号であるときには該回路電流を供給しない電力モード切り替え制御手段とを備えたことを特徴とする電池駆動可搬式軟水化装置。
【請求項２】
前記通水センサが圧力スイッチであることを特徴とする請求項１記載の電池駆動可搬式軟水化装置。
【請求項３】
前記通水センサが流量センサであることを特徴とする請求項１記載の電池駆動可搬式軟水化装置。
【請求項４】
浄水カートリッジを備え、前記再生液が食塩水であることを特徴とする請求項１、２または３記載の電池駆動可搬式軟水化装置。
【請求項５】
タイマによって計測した累計使用時間と設定使用時間と比較することによって再生時期がきていると判断し、表示手段に再生要求表示させる再生要求表示制御手段をもつことを特徴とする請求項１〜４のいずれかに記載の電池駆動可搬式軟水化装置。
【請求項６】
止水時、及び給水時においては定期的に、装置使用状態を記憶する不揮発性の記憶素子を備えたことを特徴とする請求項１〜５のいずれかに記載の電池駆動可搬式軟水化装置。
【請求項７】
前記装置使用状態が、イオン交換樹脂カートリッジの使用、再生状態、表示手段の表示内容、警報の有無、通水量、または累計使用時間のどれかを含むことを特徴とする請求項６記載の電池駆動可搬式軟水化装置。
【発明の詳細な説明】
【０００１】
【産業上の利用分野】
本発明は、原水を軟水化する軟水化装置、とくに電池駆動可搬式軟水化装置に関するものである。
【０００２】
【従来の技術】
水は日常生活に欠かすことのできないものであって、普段は何気なく使用している。しかし我国においては食文化が充実してきたこともあって、今までそれほどかえりみられることのなかったこの水に対しても、種々のニーズが寄せられるようになってきている。これはとくに都市部において著しい。というのは都市部においては多量の水が消費されるため、多くの場合近郊に分散設置された比較的小規模の浄水場で河川等の水を浄化して供給しているが、この分散化された浄水場から供給される水の水質は、それぞれの浄化すべき水量が大量であることが影響して、おいしさまで考慮してじっくりと時間をかけて浄化するようなことは殆どしていないからである。このため口の肥えた都市部の人間の嗜好を満足させる程度までに水質が至っていないというのが現状である。このまま推移していくとすれば浄水場から提供される水質にはおいしさという点でどうしても限界が存在すると予想される。そして目下の傾向としておいしさまで考慮した水質改善の取り組みを行う目立った動きはないようである。このような理由からおいしい水を必要とする飲食店、企業等の業務において、また、おいしくない水の供給を受けざるをえない地区の家庭において浄水器や軟水化装置を備えつけて自衛にでるところが増えている。この浄水器は残留塩素を活性炭等のろ過材によって除去し浄化するものであるが、カルシウムやマグネシウムまでは取り除けないものである。軟水化装置はイオン交換樹脂を用いてこのイオン、すなわちＣａ２＋、Ｍｇ２＋イオンを除去し、硬水を軟水化しておいしさを増すものである。このほかさらにミネラル成分を添加する活水器も考案されている。
【０００３】
ところで今まで水のおいしさの面を中心に述べてきたが、硬水、軟水の問題は単においしさの面だけが問題になるのではない。硬水は飲料水としてのおいしさを損なうばかりでなく、洗濯や食器洗い等の洗浄、さらには工業用等の洗浄においても別の問題をもたらしている。すなわち硬水はそれ自体洗浄の妨げになるのに加えて、洗浄後に被洗浄物表面にＣａ２＋、Ｍｇ２＋イオンを残存させ見栄えを損なうものであり、また純度を必要とする場合に不純物を残すといったことである。このような点からも軟水化装置に対する期待は大きい。
【０００４】
例えば特開昭６２−１１２５２３号公報には従来の軟水化装置を取り付けた軟水装置付食器洗浄機が記載されている。食器を洗浄する際しばしば経験することであるが、食器洗浄機によって洗浄とすすぎを終了しそのときは非常にきれいに仕上がっているように見えても、皿等の被洗浄物が乾いた後よく見ると表面に多数の白い斑点が残っていることがある。これは既述の通り水の中のカルシウムやマグネシウムがなす仕業であって、これら水中のカルシウムやマグネシウムが乾燥後残存し斑点となって残ったものである。これを解決するためには軟水化装置を設置すればよいのであるが、ここに１つの問題がある。すなわち軟水化装置で用いられるイオン交換樹脂は、硬水を軟水化する過程でだんだん能力が落ちていくので、長時間運転をするためには定期的に再生処理をすることが欠かせられないのである。しかしこの再生処理を行う期間は、軟水化装置の運転を一時中止しなければならない。軟水化装置の稼動効率は低下せざるをえない。だからといって無理に稼動効率を上げようとすれば硬度漏れという問題が生じる。そこでこの特開昭６２−１１２５２３号公報に記載された従来技術では２つのイオン交換樹脂からなる軟水器を設け、長時間食器洗浄機を運転しカルシウムやマグネシウムによって一方の軟水器のイオン交換樹脂が飽和状態になれば、他方の軟水器のイオン交換樹脂に切り替えている。食器洗浄機が所定回数運転され一方の軟水器が軟水採取能力を失うと、制御回路が２つの軟水器の入口と出口の電磁弁を自動的に切り替えるのである。これによって食器洗浄機の運転を中止することなく継続的に続けることができるものである。このほか従来技術として特開平３−１２２８７号公報記載の原水軟水化処理装置もあるが、これも特開昭６２−１１２５２３号公報に記載された従来技術と基本的には同様で、切り替えによって原水軟水化処理装置の稼動効率を上げるものである。
【０００５】
しかしながらこのような特開昭６２−１１２５２３号公報、特開平３−１２２８７号公報に代表される従来の軟水化装置はすべて商用電源を利用するもので、商用電源が利用できない場所では軟水化装置を使うことができず不自由さを感じることが多かった。また商用電源は電圧、周波数が地域によって異なり、せっかくの軟水化装置を使用できないような場合もあった。しかしこれを可搬式のものにしようと考えても、従来型の軟水化装置では直ちにそれを実現できない事情が存在している。すなわち従来の軟水化装置が商用電源でこの装置を使用せざるをえない理由の１つは、この装置を電池で駆動するには電力の消費が大きすぎ、仮にこれを行ったとしても大型の電池か電池交換を頻繁に行わざるをえないため実用に耐えるようなものにはならなかったからである。また従来技術においては、操作性を考慮して特開昭６２−１１２５２３号公報、特開平３−１２２８７号公報記載のように電磁弁で自動的に流路切り替えを行っており、電磁弁を駆動するためにさらに大きな電流を流す必要があり、商用電源から電源をとるしかなかったのである。
【０００６】
またこの商用電源を用いることから電圧変換を行う必要もあり、装置自体大きくならざるをえないという問題もあった。電磁弁を用いる場合はなおさらである。そしてこれらが軟水化装置の製造コストを押し上げる原動力の１つにもなっていたのである。加えてこの軟水化装置使用時の電気使用料も無視できないものであった。
【０００７】
【発明が解決しようとする課題】
このように従来の軟水化装置は消費電力が大きく商用電源に依存せざるをえない事情にあり、それ故可搬式軟水化装置の実現は事実上困難視されていた。しかも商用電源を利用するため別途トランス等の装備をする必要があり、装置が大型化する傾向にあった。またこの装備を施すために製造コストがかさみ、軟水化装置が各家庭にまで普及するのを拒んでいた。家庭内での使用にとって電気使用料を下げることも重要なことであった。
【０００８】
本発明はこのような従来の問題点を解決するものであって、どこにでも持ち運べ、小型で消費電力の小さい電池駆動可搬式軟水化装置を提供することを目的とする。
【０００９】
また本発明は、操作性に優れ、どこにでも持ち運べ、小型で消費電力が小さく一般家庭にまで普及しうる電池駆動可搬式軟水化装置を提供することを目的とする。
【００１０】
【課題を解決するための手段】
この課題を達成するため本発明の電池駆動可搬式軟水化装置は、再生用タンクに流路切替弁を介して接続された複数のイオン交換樹脂カートリッジと、原水供給管に設けられた通水センサと、通水センサからの信号が給水信号であるとき電池から動作モードで動作する回路へ回路電流を供給し、止水信号であるときには該回路電流を供給しない電力モード切り替え制御手段とを備えるという技術手段を講じている。なおこの回路電流を供給しないというのは、全く電流が流れないもののほか電流が流れているといえない程度の微弱電流が流れるものを含むものである。通水センサは圧力スイッチであるのが適当である。また通水スイッチは流量センサであってもよい。そして浄水カートリッジを備え、再生液が食塩水であることが望ましい。
【００１１】
また本発明の電池駆動可搬式軟水化装置は、タイマによって計測した累計使用時間と設定使用時間と比較することによって再生時期がきていると判断し、表示手段に再生要求表示させる再生要求表示制御手段を有するのが適当である。
【００１２】
本発明の電池駆動可搬式軟水化装置は、止水時、及び給水時においては定期的に、装置使用状態を記憶する不揮発性の記憶素子を備えている。この装置使用状態はイオン交換樹脂カートリッジの使用、再生状態、表示手段の表示内容、警報の有無、通水量、または累計使用時間のどれかを含むのが適当である。
【００１３】
【作用】
本発明の電池駆動可搬式軟水化装置は、原水供給管に設けられた通水センサと、通水センサからの信号が給水信号であるとき電池から動作モードで動作する回路へ回路電流を供給し、止水信号であるときには該回路電流を供給しない電力モード切り替え制御手段とを備えているから、必要最小限の消費電力で駆動することができ、コンパクトな構成にすることができる。圧力スイッチで通水時期を検出するから簡単に、かつ正確に検出できる。流量センサで検出するとさらに検出精度を上げることができる。浄水カートリッジを備え、再生液が食塩水であるので、浄水することができ再生液も低廉である。
【００１４】
再生時期の判断を行うとともに、表示手段に再生要求表示させる再生要求表示制御手段を有しているので、操作性に優れたものである。また止水時、及び給水時においては定期的に、装置使用状態を記憶する不揮発性の記憶素子を備えているから、消費電力を低下させつつ適切な運転を可能にするものである。
【００１５】
【実施例】
以下、本発明の電池駆動可搬式軟水化装置の一実施例について図面を参照しながら説明する。図１に本発明の一実施例における電池駆動可搬式軟水化装置の全体構成図を、図２に本発明の一実施例における電池駆動可搬式軟水化装置の回路構成の概略図、図３に本発明の他の実施例における電池駆動可搬式軟水化装置の回路構成の概略図を示す。
【００１６】
図１において、１は水道蛇口、２は水スイッチ、３は浄水カートリッジ、４は通水センサである。また５は定流量弁、６と１０は二つが連動した流路切替弁であり、７はイオン交換樹脂カートリッジ（Ａ）、８はイオン交換樹脂カートリッジ（Ｂ）である。そして９は再生用タンク、１１は軟水吐出管、１２は再生用の食塩水排出管である。
【００１７】
図１を用いて本実施例の電池駆動可搬式軟水化装置の全体的な動作について説明する。水道蛇口１を開栓し、水スイッチ２を開方向へ切り替えると、水は矢印のように流れ、浄水カートリッジ３を通過する。ここで水道水は残留塩素を取り除かれ浄化されて、原水供給管に吐出される。この浄水カートリッジ３から吐出された浄化された水が原水供給管に設けられた通水センサ４を通過すると、水圧によって通水センサ４を作動させる。水はさらに定流量弁５を経て、流路切替弁６によって交互に切り替えられる、イオン交換樹脂カートリッジ（Ａ）７あるいはイオン交換樹脂カートリッジ（Ｂ）８のどちらか一方に供給される。そして水はこのほか途中で分流され、イオン交換樹脂を再生させるための再生液が満たされた再生用タンク９にも一部供給される。
【００１８】
流路切替弁６で例えばイオン交換樹脂カートリッジ（Ａ）７に供給された水はイオン交換樹脂の作用によって、水の硬度成分（Ｍｇ２＋、Ｃａ２＋イオン）を除去され軟水化されて、流路切替弁６と連動した流路切替弁１０を通り軟水吐出管１１から軟水を吐出する。流路切替弁６は手動で切り替えられるものであるが、消費電力が小さいものであれば通水センサ４の作動にともなって自動的に切り替えるものであってもよいのは当然である。
【００１９】
一方、このときイオン交換樹脂を再生するための再生用タンク９に一部供給された水は、再生用タンク９内に予め投入されている食塩を溶解し、再生液である食塩水となって流路切替弁１０でイオン交換樹脂カートリッジ（Ｂ）８に供給される。イオン交換樹脂カートリッジ（Ｂ）８の再生は次のようにして行なわれる。すなわちイオン交換樹脂カートリッジ（Ｂ）８に吸着されているＭｇ２＋、Ｃａ２＋イオンが食塩水中のＮａ＋イオンと交換され、イオン交換樹脂カートリッジ（  Ｂ）８の当初の状態まで再生されるのである。イオン交換樹脂カートリッジ（Ｂ）８の再生に使用された食塩水は食塩水排出管１２から排出されることになる。
【００２０】
ところでイオン交換樹脂カートリッジ（Ａ）７とイオン交換樹脂カートリッジ（Ｂ）８の切り替えは再生時期に達したときに行なわれるが、この再生時期の判断は、再生要求表示制御手段である後記するマイコン１７によってタイマが計測した通水時間、すなわち通水センサ４の作動時間を積算した累計使用時間と設定時間とを比較することで判断する。なおこの累計使用時間は更新されながら後記する不揮発性の記憶素子（ＥＥＰＲＯＭ）１９に記憶されているものである。そしてさらに再生要求表示制御手段であるマイコン１７は、後記する表示手段である発光ダイオード３４〜３６の１つとブザー４１に再生要求表示させる。再生要求表示は発光ダイオード３４〜３６の１つを発光（点滅）させるかまたはブザー発信させることで行なう。発光ダイオード３４〜３６の残りの２つは、電池寿命、動作中であることの表示を行うものである。
【００２１】
次に図２に基づいて本実施例による電池駆動可搬式軟水化装置の回路構成について説明する。１３は通水センサ４である圧力スイッチの電気接点スイッチ、１４はイオン交換樹脂カートリッジ（Ａ）検出スイッチ、１５はイオン交換樹脂カートリッジ（Ｂ）検出スイッチである。１６は通水時間設定切替スイッチ、１７はマイコン、１８はＩＣである。このＩＣ１８は電源電圧すなわち電池の電圧レベルを検出する集積回路である。１９は不揮発性の記憶素子（ＥＥＰＲＯＭ）、２０〜３３は抵抗、３４〜３６は発光ダイオード、３７は発振回路、３８は電流増幅回路、３９は負電圧作成回路、４０はマッチング用抵抗、４１はブザーである。この発振回路３７からマッチング用抵抗４０にかけての一連の部材はブザー４１の駆動回路を構成している。また、マイコン１７のＨＯＬＤは低消費電力モードと動作モードの切り替え用のＨＯＬＤ入力ポート、Ｐ１〜Ｐ１７はその入出力ポートである。ポートＰ３，Ｐ５，Ｐ８はいずれも出力ポートであり、Ｐ１，Ｐ２，Ｐ４，Ｐ６，Ｐ７は入力ポートである。またＰ９，Ｐ１０，Ｐ１１，Ｐ１２，Ｐ１３は不揮発性の記憶素子（ＥＥＰＲＯＭ）１９とデータをやりとりするポートであって、順に、書き込み許可信号用、クロック入力用、入力データ用、出力データ用、Ｒｅａｄｙ／Ｂｕｓｙ信号用のポートである。またＰ１４からＰ１６は表示手段である発光ダイオード３４〜３６を駆動するためのポートである。そしてＰ１７はブザー発信用のポートである。
【００２２】
水道蛇口１を開栓し、水が矢印のように流れ浄水カートリッジ３を通過し、通水センサ４である圧力スイッチに到達すると、水圧によって図２記載の圧力スイッチの電気接点スイッチ１３が押され接点がつながる。するとマイコン１７のＨＯＬＤ入力ポートの電圧レベルが’Ｈ’から’Ｌ’となるため、マイコン１７は低消費電力モードから動作モードへ切り替えられることになる。低消費電力モードのマイコン１７の消費電流は平均０．５μＡであるが、これが動作モードでは平均３ｍＡに変化する。このときポートＰ３，Ｐ５，Ｐ８の電圧レベルはすべて’Ｈ’から’Ｌ’レベルになり、イオン交換樹脂カートリッジ（Ａ）検出スイッチ１４、イオン交換樹脂カートリッジ（Ｂ）検出スイッチ１５、通水時間設定切替スイッチ１６およびＩＣ１８に電流が流れることになる。
【００２３】
このイオン交換樹脂カートリッジ（Ａ）検出スイッチ１４、イオン交換樹脂カートリッジ（Ｂ）検出スイッチ１５は、図１のイオン交換樹脂カートリッジ（Ａ）７とイオン交換樹脂カートリッジ（Ｂ）８の切り替えのための水路を切り替える流路切替弁６，１０と連動しているスイッチである。このためイオン交換樹脂カートリッジ（Ａ）検出スイッチ１４、イオン交換樹脂カートリッジ（Ｂ）検出スイッチ１５はどちらか一方がＯＮしていればもう一方がＯＦＦになるものである。従ってポートＰ３の出力が’Ｌ’になると、イオン交換樹脂カートリッジ（Ｂ）検出スイッチ１５と抵抗２２か、イオン交換樹脂カートリッジ（Ａ）検出スイッチ１４と抵抗２１のいずれかが導通するから、これによって電源である電池からの回路電流がポートＰ３に供給され、イオン交換樹脂カートリッジ（Ａ）７とイオン交換樹脂カートリッジ（Ｂ）８のいずれが使用されているかをポートＰ１，Ｐ２で検出できることになる。しかしポートＰ３の出力が’Ｈ’になると回路電流はポートＰ３に供給されることはなく、消費電流は抑えられることになる。なおこの供給されないというのは、全く電流が流れないものの外、電流が流れているとはいえない程度の微弱電流が流れているものを含むものである。本実施例の場合はこの微弱電流が流れる場合にあたる。
【００２４】
通水時間設定切替スイッチ１６は通水時間の設定を切り替えるためのスイッチであって入力ポートＰ４とＰ６の状態を３通り作ることができ、３通りの時間設定を可能にするものである。またＩＣ１８は電源電圧すなわち電池の電圧レベルを検出する集積回路で、入力ポートＰ７の電圧レベル’Ｌ’、’Ｈ’でマイコン１７はこれを判断する。結果は不揮発性の記憶素子（ＥＥＰＲＯＭ）１９に記憶される。なお電池電圧の電圧レベル検出は通水時のみ判断する。つまりマイコン１７の出力ポートＰ８は動作モード時には’Ｌ’となりＩＣ１８に電流が流れるようにしているが、低消費電力モード時にはＨＯＬＤ入力ポートの電圧レベルを’Ｈ’にして消費電流を抑えるようにしているのである。
【００２５】
以上の説明からわかるようにマイコン１７は、ＨＯＬＤ入力ポートの電圧レベルによって、低消費電力モードと動作モードのどちらかのモードにモード切り替えを行うものである。すなわちマイコン１７は電力モード切り替え制御手段である。ＨＯＬＤ入力ポートが’Ｈ’のとき低消費電力モード、’Ｌ’のとき動作モードとなる。
【００２６】
次に低消費電力モードのマイコン１７の動作について説明する。低消費電力モードにおいては図２記載の出力ポートＰ３，Ｐ５，Ｐ８の電圧レベルはすべて’Ｈ’レベルに制御される。これにより本実施例の電池駆動可搬式軟水化装置に通水していないときには、マイコン１７はイオン交換樹脂カートリッジ（Ａ）検出スイッチ１４、イオン交換樹脂カートリッジ（Ｂ）検出スイッチ１５、通水時間設定切替スイッチ１６およびＩＣ１８を電流が流れない状態に保つことができるのである。
【００２７】
ところで本実施例の電池駆動可搬式軟水化装置は低消費電力モードでも作動するため、動作モードに再び切り替えられたときこの装置の装置使用状態が使用者に直ちにわかるようにする必要がある。これを実現するにはこの装置の装置使用状態を低消費電力モード下でも記憶しておく必要があるが、低消費電力モード下では通常の揮発性の記憶手段で記憶をしておくことは難しい。そこで本実施例の電池駆動可搬式軟水化装置においては次のような手段を講じている。すなわちこの装置においては、２搭のイオン交換樹脂カートリッジ（Ａ）７、イオン交換樹脂カートリッジ（Ｂ）８のどちらを使用しているのか、通水量、警報の有無等の装置使用状態を、止水時、および通水中は定期的に不揮発性の記憶素子（ＥＥＰＲＯＭ）１９に記憶している。このほか装置使用状態には、別に液晶等の表示手段を設けた場合の直前に表示された表示内容や、使用にともなって更新されながら積算されていく累計使用時間等が含まれる。従って本実施例の電池駆動可搬式軟水化装置には常に電流を流しておかなくともよく、消費電力を低くすることができるものである。再生要求表示制御手段であるマイコン１７は、この記憶を利用して再生時期の判断を行い、再生時期が到来すると表示手段に再生要求表示させるが、これは既に説明した通りである。
【００２８】
さて本実施例の電力消費モードの切り替えによって電池寿命がどの程度延びるかについて説明する。本実施例の消費電流は、４．５Ｖの電源電圧を使用しているが低消費電力モード下で１４．７μＡである。そして例えば、圧力スイッチの電気接点スイッチ１３がＯＮ、イオン交換樹脂カートリッジ（Ａ）検出スイッチ１４かイオン交換樹脂カートリッジ（Ｂ）検出スイッチ１５のどちらか一方がＯＮで他方がＯＦＦ、かつ長時間の時間設定を選択した入力ポートＰ４が’Ｌ’、入力ポートＰ６が’Ｈ’という条件の動作モードのもとで、消費電流は１０．０５ｍＡである。そして平均的な使用水量として１日の通水量を２０（ｌ／日）とし、定流量弁５により流量３（ｌ／分）に制限されるものとすると
｛２０（ｌ／日）／３（ｌ／分）｝×３６５（日／年）＝２４３３（分／年）＝４０．６（時間／年）
であり、平均的にみて１年当たり４０．６（時間）程本実施例の電池駆動可搬式軟水化装置を使用することになる。するとこのとき消費される電力は、
１０．０５（ｍＡ）×４０．６（時間）＝４０８．０（ｍＡ時間）
となる。平均的マンガン電池の容量は約１０８０（ｍＡ時間）であるから、電力消費モードの切り替えをしない場合に電池寿命の目安１年を達成するためには、
１０８０（ｍＡ時間）／｛３６５（日）×２４（時間／日）｝＝０．１２３（ｍＡ）＝１２３（μＡ）
の消費電流が必要となる。消費電流を１２３（μＡ）以下に抑えないと１年以内に電池寿命が尽きてしまうことになる。既に述べたように動作モード時の消費電流は１０．０５ｍＡであるから、とうてい電池寿命１年を達成することはできない。しかし本実施例においては使用しないときに低消費電力モードに切り替え消費電流を１４．７μＡに抑えることができるから、電池寿命を延ばすことができる。そして実験によれば発光ダイオードの点滅、ブザー連続、低温動作という実使用条件と比べて厳しい条件下でも、電池寿命を約１．２年にすることが可能となった。通常の使用条件では上記の電力からもわかるように約２年の電池寿命が期待できるものである。
【００２９】
次に図３に基づいて別の実施例による電池駆動可搬式軟化装置の回路構成について説明する。図２と同じ符号の部材は同一の構成を示すから、異なった構成のところだけ説明し、同一の構成の説明は省略する。通水センサ４はこの実施例の場合流量センサ４４である。４２は流量センサ入力端子、４３はフィルタ回路である。原水供給管を流れる水流により流量センサ４４が回転すると回転数に比例してパルス信号が発生し、フィルタ回路４３を通ってマイコン１７のＨＯＬＤ入力ポートに入力される。マイコン１７はこのパルス信号の立ち上がりエッジで低消費電力モードから動作モードへ切り替えられる。動作モードに切り替えられた後は図２の場合と同様である。この実施例の場合、流量センサ４４が非常に精度よく通水時期を検出することができ、これによって消費電流を抑え電池寿命を延ばすことができる。
【００３０】
【発明の効果】
本発明は、通水センサからの信号が給水信号であるとき電池から動作モードで動作する回路へ回路電流を供給し、止水信号であるときには該回路電流を供給しない電力モード切り替え制御手段を備えているから、必要最小限の消費電力で電池駆動することができ、あわせてコンパクトな構成にすることができる。従ってどこへでも持ち運びできるものである。圧力スイッチや流量センサによって通水を判断するから簡単かつ正確に検出することができる。さらに浄水カートリッジを備え、食塩水で再生するから、あわせて浄水することができるし、再生液を低コスト化することができる。
【００３１】
再生要求表示制御手段が、再生時期の判断を行うとともに表示手段に再生要求表示させるので、操作性に優れた軟水化装置を提供することができる。また止水時、及び給水時においては定期的に、装置使用状態を記憶する不揮発性の記憶素子を備えているから、消費電力を低下させても適切な運転をすることができる。また装置使用状態として、イオン交換樹脂カートリッジの使用、再生状態、表示手段の表示内容、警報の有無、通水量、または累計使用時間のどれかを含んでいるから、操作性が優れており適切な運転をすることができる。
【００３２】
本発明の電池駆動可搬式軟水化装置は、低廉で使い勝手がよく一般の家庭に軟水化装置を普及させることを可能にするものである。
【図面の簡単な説明】
【図１】本発明の一実施例における電池駆動可搬式軟水化装置の全体構成図
【図２】本発明の一実施例における電池駆動可搬式軟水化装置の回路構成の概略図
【図３】本発明の他の実施例における電池駆動可搬式軟水化装置の回路構成の概略図
【符号の説明】
１  水道蛇口
２  水スイッチ
３  浄水カートリッジ
４  通水センサ
５  定流量弁
６，１０  流路切替弁
７  イオン交換樹脂カートリッジ（Ａ）
８  イオン交換樹脂カートリッジ（Ｂ）
９  再生用タンク
１１  軟水吐出管
１２  食塩水排出管
１３  圧力スイッチの電気接点スイッチ
１４  イオン交換樹脂カートリッジ（Ａ）検出スイッチ
１５  イオン交換樹脂カートリッジ（Ｂ）検出スイッチ
１６  通水時間設定切替スイッチ
１７  マイコン
１８  ＩＣ
１９  不揮発性の記憶素子（ＥＥＰＲＯＭ）
２０〜３３  抵抗
３４〜３６  発光ダイオード
３７  発振回路
３８  電流増幅回路
３９  負電圧作成回路
４０  マッチング用抵抗
４１  ブザー
【図１】
0003603323.tif 000002
【図２】
0003603323.tif 000003
【図３】
0003603323.tif 000004